(57)【要約】【課題】  構成が簡単であり、しかも単一の部材で極めて容易に作製することができる頭部冷却ベルトを提供する。【解決手段】  頭部に沿って湾曲された金属製で短冊状のベース板１１と、ベース板１１の凸側表面に沿って配設された金属製で波板状の放熱板１２とを備える。ベース板１１の基端部１１ｂと放熱板１２の基端部１２ｂとが接続された１枚の金属製の薄板によって形成する。ベース板１１の先端部１１ｃにおいて折り返し部１１ｄを折り返し、この折り返し部１１ｄと先端部１１ｃとの間に放熱板１２の先端部１２ｃを挟み込んでかしめる。全体を、所定形状の１枚の金属製の薄板を波板状に加工し、湾曲、折曲、かしめを行うことで作製する。【選択図】      図２
2005118292.tif 000002
【特許請求の範囲】
【請求項１】
帽子の内側に装着して使用する頭部冷却ベルトにおいて、
頭部に沿って湾曲された金属製で短冊状のベース板と、
前記ベース板の凸側表面に沿って配設された金属製で波板状の放熱板と、を備える、
ことを特徴とする頭部冷却ベルト。
【請求項２】
前記ベース板と前記放熱板とは、それぞれの長手方向の一方の端部となる基端部においてそれぞれ接続されて、全体として一体に構成されている、
ことを特徴とする請求項１に記載の頭部冷却ベルト。
【請求項３】
金属製の板金を、接着することなく、湾曲、折曲、かしめを行うことにより作製されている、
ことを特徴とする請求項２に記載の頭部冷却ベルト。
【請求項４】
前記ベース板を頭部に沿って湾曲させ、前記ベース板の前記基端部を、前記ベース板の凸側表面側に折曲し、前記放熱板を前記ベース板の凸側表面に沿って湾曲させ、前記ベース板の先端部と前記放熱板の先端部とのうちの一方に折り返し部を設け、前記折り返し部により、他方の前記先端部を挟み込む、
ことを特徴とする請求項３に記載の頭部冷却ベルト。
【請求項５】
前記ベース板と前記放熱板との間を挿通させた取り付け具によって、帽子の開口周縁部内側に装着する、
ことを特徴とする請求項１ないし４のいずれか１項に記載の頭部冷却ベルト。
【請求項６】
帽子の内側に装着して使用する頭部冷却ベルトにおいて、
頭部に沿って湾曲された金属製で短冊状のベース板と、
前記ベース板の凸側表面に沿って配設された金属製で波板状の放熱板と、
前記放熱板における前記ベース板と反対の面に沿って配設された金属製で短冊状のカバー板と、を備える、
ことを特徴とする頭部冷却ベルト。
【請求項７】
前記ベース板と前記放熱板と前記カバー板とは、長手方向に接続されて、全体として一体に構成されている、
ことを特徴とする請求項６に記載の頭部冷却ベルト。
【請求項８】
金属製の板金を、接着することなく、湾曲、折曲、かしめによって形成されている、
ことを特徴とする請求項７に記載の頭部冷却ベルト。
【請求項９】
前記ベース板の長手方向の一方の端部に前記放熱板の長手方向の一方の端部が接続され、前記ベース板の長手方向の他方の端部に前記放熱板の長手方向の他方の端部が接続されている、
ことを特徴とする請求項８に記載の頭部冷却ベルト。
【請求項１０】
前記カバー板の長手方向の一方の端部に前記放熱板の長手方向の一方の端部が接続され、前記カバー板の長手方向の他方の端部に前記放熱板の長手方向の他方の端部が接続されている、
ことを特徴とする請求項８に記載の頭部冷却ベルト。
【請求項１１】
前記放熱板の長手方向の一方の端部に前記ベース板の長手方向の一方の端部が接続され、前記放熱板の他方の端部に前記カバー板の一方の端部が接続されている、
ことを特徴とする請求項８に記載の頭部冷却ベルト。
【請求項１２】
前記カバー板の凸側表面に、装飾帯取り付け用の面ファスナを設けた、
ことを特徴とする請求項６ないし１１のいずれか１項に記載の頭部冷却ベルト。
【請求項１３】
前記ベース板の一方の端部近傍と他方の端部近傍とに間に掛け渡した伸縮性バンドによって頭部に装着する、
ことを特徴とする請求項６ないし１２のいずれか１項に記載の頭部冷却ベルト。
【発明の詳細な説明】
【技術分野】
【０００１】
本発明は、頭部を冷却するために帽子の内側に装着されて使用される、または頭部に直接装着されて使用される頭部冷却ベルトに関する。
【背景技術】
【０００２】
従来、頭部を冷却するための器具が、例えば、特許文献１〜６に開示されている。
【０００３】
特許文献１には、二重構造の装身部材を例えば頭部に装着し、この装身部材にファンによってエアを送り込むものが開示されている。
【０００４】
特許文献２には、ヘルメット本体と、このヘルメット本体の内側に嵌合された緩衝体と、ヘルメット本体に固定された支持体とを備え、ヘルメット本体上部の通気孔と外周縁部の通気孔とを、緩衝体に形成した溝によって連通されるものが開示されている。
【０００５】
特許文献３には、帽体に複数個の通気孔を設け、頭部に被る内装体と帽体の内側面との間に、通気孔に連通する間隙を保持するようにしたものが開示されている。
【０００６】
特許文献４には、帯板とネット帯とを有する通気ネットにより、額と帽子との間に、通気のための三日月形の隙間を確保するものが開示されている。
【０００７】
特許文献５には、帽子主体の内部に保護板を嵌挿し、この保護板に多数の孔等を設けることで、通気性をよくしたものが開示されている。
【０００８】
特許文献６には、本体の多数の櫛状部分を頭髪に差し込んで被ることにより、通気効果を得るものが開示されている。
【０００９】
【特許文献１】実願昭６３−０９８６３９号（実開平０２−０２２３３１号）のマイクロフィルム
【特許文献２】実願昭５５−０３８７７２号（実開昭５６−１４３２２３号）のマイクロフィルム
【特許文献３】実願昭６０−０４８６５１号（実開昭６１−１６８１３０号）のマイクロフィルム
【特許文献４】実開平０９−１５７９３６号公報
【特許文献５】実公昭４１−００７８３９号公報
【特許文献６】特開平０６−１９２９０８号公報
【発明の開示】
【発明が解決しようとする課題】
【００１０】
しかしながら、特許文献１〜６に開示されたものは、いずれも構成が複雑であり、作製するために多くの工数が必要であるという問題がある。
【００１１】
そこで本発明は、構成が簡単であり、しかも単一の部材で極めて容易に作製することができる頭部冷却ベルトを提供することを目的とするものである。
【課題を解決するための手段】
【００１２】
請求項１に係る発明は、帽子の内側に装着して使用する頭部冷却ベルトにおいて、
頭部に沿って湾曲された金属製で短冊状のベース板と、
前記ベース板の凸側表面に沿って配設された金属製で波板状の放熱板と、を備える、
ことを特徴とする。
【００１３】
請求項２に係る発明は、請求項１に記載の頭部冷却ベルトにおいて、前記ベース板と前記放熱板とは、それぞれの長手方向の一方の端部となる基端部においてそれぞれ接続されて、全体として一体に構成されている、
ことを特徴とする。
【００１４】
請求項３に係る発明は、請求項２に記載の頭部冷却ベルトにおいて、金属製の板金を、接着することなく、湾曲、折曲、かしめを行うことにより作製されている、
ことを特徴とする。
【００１５】
請求項４に係る発明は、請求項３に記載の頭部冷却ベルトにおいて、前記ベース板を頭部に沿って湾曲させ、前記ベース板の前記基端部を、前記ベース板の凸側表面側に折曲し、前記放熱板を前記ベース板の凸側表面に沿って湾曲させ、前記ベース板の先端部と前記放熱板の先端部とのうちの一方に折り返し部を設け、前記折り返し部により、他方の前記先端部を挟み込む、
ことを特徴とする。
【００１６】
請求項５に係る発明は、請求項１ないし４のいずれか１項に記載の頭部冷却ベルトにおいて、前記ベース板と前記放熱板との間を挿通させた取り付け具によって、帽子の開口周縁部内側に装着する、
ことを特徴とする。
【００１７】
請求項６に係る発明は、帽子の内側に装着して使用する頭部冷却ベルトにおいて、
頭部に沿って湾曲された金属製で短冊状のベース板と、
前記ベース板の凸側表面に沿って配設された金属製で波板状の放熱板と、
前記放熱板における前記ベース板と反対の面に沿って配設された金属製で短冊状のカバー板と、を備える、
ことを特徴とする。
【００１８】
請求項７に係る発明は、請求項６に記載の頭部冷却ベルトにおいて、前記ベース板と前記放熱板と前記カバー板とは、長手方向に接続されて、全体として一体に構成されている、
ことを特徴とする。
【００１９】
請求項８に係る発明は、請求項７に記載の頭部冷却ベルトにおいて、金属製の板金を、接着することなく、湾曲、折曲、かしめによって形成されている、
ことを特徴とする。
【００２０】
請求項９に係る発明は、請求項８に記載の頭部冷却ベルトにおいて、前記ベース板の長手方向の一方の端部に前記放熱板の長手方向の一方の端部が接続され、前記ベース板の長手方向の他方の端部に前記放熱板の長手方向の他方の端部が接続されている、
ことを特徴とする。
【００２１】
請求項１０に係る発明は、請求項８に記載の頭部冷却ベルトにおいて、前記カバー板の長手方向の一方の端部に前記放熱板の長手方向の一方の端部が接続され、前記カバー板の長手方向の他方の端部に前記放熱板の長手方向の他方の端部が接続されている、
ことを特徴とする。
【００２２】
請求項１１に係る発明は、請求項８に記載の頭部冷却ベルトにおいて、前記放熱板の長手方向の一方の端部に前記ベース板の長手方向の一方の端部が接続され、前記放熱板の他方の端部に前記カバー板の一方の端部が接続されている、
ことを特徴とする。
【００２３】
請求項１２に係る発明は、請求項６ないし１１のいずれか１項に記載の頭部冷却ベルトにおいて、前記カバー板の凸側表面に、装飾帯取り付け用の面ファスナを設けた、
ことを特徴とする。
【００２４】
請求項１３に係る発明は、請求項６ないし１２のいずれか１項に記載の頭部冷却ベルトにおいて、前記ベース板の一方の端部近傍と他方の端部近傍とに間に掛け渡した伸縮性バンドによって頭部に装着する、ことを特徴とする。
【発明の効果】
【００２５】
本発明によると、金属の塑性を利用して、構成が簡単であり、しかも単一の部材で極めて容易に作製することができる。また金属が良熱伝導性であること、放熱板が表面積が大きいことを利用して、良好な放熱性を実現することができる。また、頭部冷却ベルト全体が塑性変形用途であるので、使用者の帽子や頭部のサイズに合わせるのが容易である。
【発明を実施するための最良の形態】
【００２６】
以下、図面に沿って、本発明の実施の形態について説明する。なお、各図面において同一の符号を付したものは、同一の構成又は作用をなすものであり、これらについての重複説明は適宜省略した。
＜実施の形態１＞
【００２７】
図１〜図４に、本発明に係る頭部冷却ベルトの一例として、実施の形態１に係る頭部冷却ベルト１０を示す。このうち図１は頭部冷却ベルト１０及びこれに取付け具２０を装着した状態を示す斜視図、図２は頭部冷却ベルト１０を上方から見た模式的な図、図３は図２のＡ−Ａ線矢視図、図４は頭部冷却ベルト１０の展開図である。なお、これらの図においては、図３を除く図１，図２，図４においては、ベース板１１、放熱板１２の厚さは省略している。
【００２８】
これらの図に示すように、頭部冷却ベルト１０は、全体として、頭部（不図示）に沿って円弧状に湾曲された金属製で短冊状のベース板１１と、このベース板１１の凸側表面に沿って配設された金属製で波板状の放熱板１２とを備えた、２層構造となっている。
【００２９】
成形前の頭部冷却ベルト１０は、図４の展開図に示すように、短冊状のベース板１１と、放熱板１２とを長手方向に接続した形状となっている。図示のように、ベース板１１は、中間部１１ａと基端部１１ｂと先端部１１ｃとを有しており、放熱板１２は、中間部１２ａと基端部１２ｂと先端部１２ｃとを有している。そして、ベース板１１と放熱板１２とは、それぞれの基端部１１ｂ，１２ｂを介して長手方向に接続されている。
【００３０】
図４に示す状態に先立ち、まず、金属製の薄板から、ベース板１１と波状に形成される前の平板部（後に放熱板１２となる部分）とが一体となった状態の素材を、例えば、プレスによって打ち抜く。そして、ベース板１１の幅方向（図４中の左右方向）の両端部を、点線ａ，ｂに沿って谷折りにして内側に折り返し（図３参照）、折り返し部１１ｅ，１１ｆを形成する。これら折り返し部１１ｅ，１１ｆは、打ち抜き時に発生するバリやエッジによって使用者が傷付くことを防止するために行う。つづいて、平板の部分を、外周が波状に形成された上下のローラ間に通すことで、放熱板１２を形成する。以上で成形前の準備が終了する。
【００３１】
成形時には、ベース板１１全体を、上述の折り返し部１１ｅ，１１ｆが凸側表面に位置するように、頭部の形状に合わせて円弧状に彎曲させる。次に、ベース板１１の基端部１１ｂの点線ｃに沿って谷折りを形成し、放熱板１２を、ベース板１１の凸側表面に合わせて彎曲させる。これにより、図２に示すように、ベース板１１の先端部１１ｃに放熱板１２の先端部１２ｃが重なる。最後に、図４に示す点線ｄに沿って折り返し部１１ｄを放熱板１２の先端部１２ｃの外側に折り返す。この折り返しにより、ベース板１１の先端部１１ｃと折り返し部１１ｄとの間に、放熱板１２の先端部１２ｃを挟み込む。いわゆるかしめを行うのである。なお、以上では、ベース板１１の先端部１１ｃに折り返し部１１ｄを設けたが、これに代えて、放熱板１２の先端部１２ｃに折り返す部（不図示）を設け、この折り返し部と放熱板１２の先端部１２ｃとの間に、ベース板１１の先端部１１ｃを挟み込むようにしてもよい。
【００３２】
以上で、頭部冷却ベルト１０が完成する。この頭部冷却ベルト１０は、例えば、図１に示す取り付け具２０によって、帽子の開口周縁部内側（不図示）に装着することができる。図示の取り付け具２０は、２個の同形の係止具２１，２２によって構成されている。係止具２１は、例えば針金状の部材を適宜に屈曲させることで形成することができる。係止具２１の中間部２１ａ，２１ａを、ベース板１１と放熱板１２との間を通し、先端部２１ｂ，２１ｂを下方に屈曲させて、頭部冷却ベルト１０に固定する。一方、係止具２１の基端部２１ｃを、中間部２１ａ，２１ａの下端から上方に屈曲させる。これにより、係止具２１が完成する。他方に係止具２２の同様である。
【００３３】
こうして係止具２１，２２が固定された頭部冷却ベルト１０は、以下のようにして使用する。
【００３４】
頭部冷却ベルト１０を帽子の開口周縁部内側における前側に挿着する。このとき、係止具２１，２２の基端部２１ｃ，２２ｃが帽子の開口周縁部の外側に位置するようにする。すなわち、頭部冷却ベルト１０が開口周縁部の内側に配置され、係止具２１，２２の基端部２１ｃ，２２ｃが開口周縁部の外が外側に配置され、これにより、頭部冷却ベルト１０と、係止具２１，２２の基端部２１ｃ，２２ｃとで、帽子の開口周縁部を挟み込むのである。
【００３５】
こうして頭部冷却ベルト１０が装着された帽子を使用者が被ると、使用者の頭部（額の少し上）と帽子とに間に、頭部冷却ベルト１０が位置することになり、これにより、頭部と帽子との間に間隙が形成される。そして、図１に示すように、放熱板１２によって上下方向に多数の通気路Ｐが形成され、これら通気路Ｐを介して帽子の内側と外側とが連通されるので、帽子の内側の通気を良好に行うことができる。また、頭部冷却ベルト１０の素材となっている金属板自体が熱伝導性が高く、放熱効果が大きいので、頭部を有効に冷却することができる。さらに、頭部冷却ベルト１０全体が金属製の薄板によって形成されているので、全体を簡単に塑性変形させることができ、したがって、サイズの異なる帽子、頭部に対しても、これらの応じた形状に簡単に対応させることができる。例えば、子供から大人まで、同一の頭部冷却ベルト１０を快適に使用することができる。
【００３６】
なお、図１では、ベース板１１と放熱板１２との間に形成される通気路Ｐのみを図示しているが、頭部冷却ベルト１０を帽子の内側に装着した際には、放熱板１２と帽子の内面との間にも同様の通気路（不図示）が形成されることになる。また、ベース板１１を内側（頭部側）に配置し、放熱板１２を外側（帽子側）に配置することにより、頭髪によって通気路Ｐが閉塞されることを防止している。すなわち、上述とは逆に、放熱板１２を内側（頭部）に、そしてベース板１１を外側（帽子側）に配置した場合には、放熱板１２が頭髪に接触するために、放熱板１２の外側と内側とに形成される通気路Ｐのうち、内側に形成される通気路Ｐが頭髪によってふさがれてしまい、その分、通気路Ｐ全体の有効面積が低減されて通気効果が半減されてしまう。本実施の形態では、上述のように、内側にはベース板１１が配置されているので、通気路Ｐが頭髪によって塞がれることがなく、したがって、通気路Ｐ全体の有効面積を十分に確保することができる。
【００３７】
以上説明したように、本実施の形態に係る頭部冷却ベルト１０は、金属製の薄板を所定の形状に打ち抜き（または切り出し）、これに波状の加工を施したり、彎曲、折曲、かしめを行ったりすることで、接着等の接合を行うことなく、極めて容易に作製することができる。また全体構成も簡単で、単一の部材によって作製することができる。さらに構成が簡単でコンパクトなこととも相俟って、軽量に仕上げることができ、使用時の違和感を低減することもできる。
【００３８】
なお、図２，図３に示すように、ベース板１１と放熱板１２との間に、磁性を帯びた帯状のゴム磁石２３を挟み込むようにしてもよい。この場合には、ゴム磁石２３の磁気が、頭部に良好に作用することがある。
＜実施の形態２＞
【００３９】
本実施の形態では、頭部に直接装着する頭部冷却ベルトについて説明する。
図５〜図８に、本発明に係る頭部冷却ベルトの一例として、実施の形態２に係る頭部冷却ベルト３０を示す。このうち図５は頭部冷却ベルト３０及びこれに伸縮性バンド４０を装着した状態を示す斜視図、図６は頭部冷却ベルト３０を上方から見た模式的な図、図７は図６のＢ−Ｂ線矢視図、図８は頭部冷却ベルト３０の展開図である。なお、これらの図においては、図７を除く図５，図６，図８においては、ベース板３１、放熱板３２、カバー板３３の厚さは省略している。
【００４０】
これらの図に示すように、頭部冷却ベルト３０は、全体として、頭部（不図示）に沿って円弧状に湾曲された金属製で短冊状のベース板３１と、このベース板３１の凸側表面に沿って配設された金属製で波板状の放熱板３２と、放熱板３２における前記ベース板３１と反対の面に沿って配設された金属製で短冊状のカバー板３３とを備えた、３層構造となっている。
【００４１】
成形前の頭部冷却ベルト３０は、図８の展開図に示すように、短冊状のベース板３１と、放熱板３２と、カバー板３３とを長手方向に接続した形状となっている。図示のように、ベース板３１は、中間部３１ａと基端部３１ｂと先端部３１ｃとを有しており、放熱板３２は、中間部３２ａと基端部３２ｂと先端部３２ｃとを有しており、またカバー板３３は、中間部３３ａと基端部３３ｂと先端部３３ｃとを有している。そして、ベース板３１と放熱板３２とは、それぞれの先端部３１ｃと基端部３２ｂとを介して、またベース板３１とカバー板３３とは、それぞれの基端部３１ｂ，３３ｂを介して長手方向に接続されている。
【００４２】
図４に示す状態に先立ち、まず、金属製の薄板から、ベース板３１と、カバー板３３と、波状に形成される前の平板部（後に放熱板３２となる部分）とが一体となった状態の素材を、例えば、プレスによって打ち抜く。そして、ベース板３１の幅方向（図８中の左右方向）の両端部を、点線ｅ，ｆに沿って谷折りにして内側に折り返し（図７参照）、折り返し部３１ｅ，３３ｅ，３１ｆ，３３ｆを形成する。これら折り返し部部３１ｅ，３３ｅ，３１ｆ，３３ｆは、打ち抜き時に発生するバリやエッジによって使用者が傷付くことを防止するために行う。つづいて、平板の部分を、外周が波状に形成された上下のローラ間に通すことで、放熱板３２を形成する。以上で成形前の準備が終了する。
【００４３】
成形時には、ベース板３１全体を、上述の折り返し部３１ｅ，３１ｆが凸側表面に位置するように、頭部の形状に合わせて円弧状に彎曲させる。次に、ベース板３１の先端部３１ｃと放熱板３２の基端部３２ｂと境界ｉに沿って谷折りを形成し、放熱板３２を、ベース板３１の凸側表面に合わせて彎曲させる。これにより放熱板３２の先端部３２ｃがほぼベース板３１の基端部３１ｂに対応する位置に配置される。さらに、ベース板３１とカバー板３３との間の点線ｇに沿って谷折りを形成し、カバー板３３の基端部３３ｂで放熱板３２の先端部３２ｃを被い、カバー板３３を上述の放熱板３２におけるベース板３１と反対の面に沿って彎曲させる。これにより、図６に示すように、放熱板３２の基端部３２ｂにカバー板３３の先端部３３ｃが重なる。最後に、図４に示す点線ｈに沿って折り返し部３３ｄをベース板３１の先端部３１ｃの内側に折り返す。この折り返しにより、カバー板３３の先端部３３ｂと折り返し部３３ｄとの間に、放熱板３２の基端部３２ｂ及びベース板３１の先端部３１ｃとを挟み込む。いわゆるかしめを行うのである。
【００４４】
以上で、頭部冷却ベルト３０が完成する。この頭部冷却ベルト３０は、例えば、図５に示す伸縮性バンド４０によって、頭部に直接装着することができる。図示の伸縮性バンド４０は、２個の金具４１，４２、すなわちベース板３１の基端部３１ｂ近傍に固定された金具４１と、ベース板３１の先端部３１ｃ近傍に固定された金具４２と、これらの間に掛け渡されたゴムバンド４３とを備えている。ゴムバンド４３は、長さ調整用の金具４４を有している。
【００４５】
こうして伸縮性バンド４０が取り付けられた頭部冷却ベルト３０は、以下のようにして使用する。
【００４６】
頭部冷却ベルト３０を使用者の頭部（額の少し上）に当て、伸縮性バンド４０を後頭部に回して装着する。
【００４７】
頭部冷却ベルト３０の素材となっている金属板自体が熱伝導性が高く、放熱効果が大きいので、頭部を有効に冷却することができる。さらに、頭部冷却ベルト３０全体が金属製の薄板によって形成されているので、全体を簡単に塑性変形させることができ、したがって、サイズの異なる帽子、頭部に対しても、これらの応じた形状に簡単に対応させることができる。例えば、子供から大人まで、同一の頭部冷却ベルト３０を快適に使用することができる。
【００４８】
図５に示すように、さらに本実施の形態に係る頭部冷却ベルト３０は、カバー板３３の表面３３ａに、装飾帯５０が取り付けられるようになっている。カバー板３３の表面３３ａにおける基端部３３ｂには面ファスナ３４が、また先端部３３ｃには面ファスナ３５（不図示）が固定されている。一方、装飾帯５０は、上述のカバー板３３の表面ａとほぼ同形の台紙５１とその表面に貼着された装飾布（例えば不要になったネクタイ生地）５２とによって形成されている。そして、台紙５１の裏面５１ａには、上述のカバー板３３側の面ファスナ３４，３５に対応する位置に、面ファスナ５４，５５が固定されている。このように、装飾帯５０は、頭部冷却ベルト３０に対して簡単に着脱できるようになっているので、ＴＰＯに応じて適宜に交換することが容易である。
【００４９】
以上説明したように、本実施の形態に係る頭部冷却ベルト３０は、金属製の薄板を所定の形状に打ち抜き（または切り出し）、これに波状の加工を施したり、彎曲、折曲、かしめを行ったりすることで、接着等の接合を行うことなく、極めて容易に作製することができる。また全体構成も簡単で、単一の部材によって作製することができる。さらに構成が簡単でコンパクトなこととも相俟って、軽量に仕上げることができ、使用時の違和感を低減することもできる。
【００５０】
なお、本実施の形態２の上述の説明では、図８に示す展開図において、下方から順にカバー板３３，ベース板３１，放熱板３２が接続される場合を例に説明したが、本実施の形態はこれに限定されるものではなく、例えば、カバー板３３とベース板３１の位置が逆であったり、ベース板３１と放熱板３２の位置が逆であったりしてもよい。
【００５１】
また、本実施の形態においても、前述の実施の形態１と同様に、図６，図７に示すように、ベース板３１と放熱板３２との間に、磁性を帯びた帯状のゴム磁石２３を挟み込むようにしてもよい。この場合には、ゴム磁石２３の磁気が、頭部に良好な作用を及ぼすことがある。
【図面の簡単な説明】
【００５２】
【図１】実施の形態１の頭部冷却ベルト及びこれに取付け具を装着した状態を示す斜視図である。
【図２】実施の形態１の頭部冷却ベルトを上方から見た模式的な図である。
【図３】図２におけるＡ−Ａ線矢視図である。
【図４】実施の形態１の頭部冷却ベルト１０の展開図である。
【図５】実施の形態２の頭部冷却ベルト及びこれに取付け具を装着した状態を示す斜視図である。
【図６】実施の形態２の頭部冷却ベルトを上方から見た模式的な図である。
【図７】図６におけるＢ−Ｂ線矢視図である。
【図８】実施の形態２の頭部冷却ベルト３０の展開図である。
【符号の説明】
【００５３】
１０，３０  頭部冷却ベルト
１１，３１  ベース板
１１ｄ，３３ｄ
折り返し部
１２，３２  放熱板
２０        取り付け具
３３        カバー板
３４        面ファスナ
４０        伸縮性バンド
【図１】
2005118292.tif 000003
【図２】
2005118292.tif 000004
【図３】
2005118292.tif 000005
【図４】
2005118292.tif 000006
【図５】
2005118292.tif 000007
【図６】
2005118292.tif 000008
【図７】
2005118292.tif 000009
【図８】
2005118292.tif 000010